(57)【特許請求の範囲】
【請求項１】
逆Ｌ字状に弯曲して、水平管部２と弯曲管部３と垂下管部４とが連続するガイド管５を有し、又水平管部２からガイド管回動用の操作ハンドル６を側外方へ突出させた主管部材１と、
上記ガイド管５内へ、長手方向中間部を可撓部１２とした芯棒状部１３を摺動可能に挿通させて両端部をガイド管両端外方へ突出させ、水平管側から突出する基部には芯棒状部引出しおよび押込み兼用把手１４を付設した操作部材１１とを有し、
垂下管部４下端から突出する芯棒状部部分の下部は拡開段部１５を介してガイド管５とほぼ同外径で、かつ摩擦係数を大とした係合棒部１６となし、
上記把手１４を介して芯棒状部１３をガイド管５に対して摺動させることで、垂下管部４下端から突出する芯棒状部分が伸縮自在に形成した
ことを特徴とする扉用解錠器具。
【請求項２】
芯棒状部13を、ワイヤ17と該ワイヤの両側部外面へ嵌合し溶接させた第１、第２摺動管18、18とで形成し、
これ等第１、第２摺動管は、把手14操作により芯棒状部13がガイド管内を摺動する際、水平管部２内又は垂下管部４内だけを摺動し、かつこれ等両管部内に第１、第２摺動管一部が残って全体の抜出しは不能に形成した
ことを特徴とする請求項１記載の扉用解錠器具。
【請求項３】
上記係合棒部１６を下端面開口の雌ねじ筒に形成し、別に設けたサムターン回動用治具を着脱自在とした
ことを特徴とする請求項１又は２記載の扉用解錠器具。
【請求項４】
水平管部２内へ出入する芯棒状部１３部分外面へ、出入部分の長さ計測用目盛りを刻設した
ことを特徴とする、請求項１、２又は３記載の扉用解錠器具。
【発明の詳細な説明】
【０００１】
【発明の属する技術分野】
本発明は扉用解錠器具に関する。
【０００２】
【従来の技術】
【発明が解決しようとする課題】
扉解錠用器具としては、錠が有する鍵穴内に種々の器具を差込み操作して解錠することが行われて来たが、近年治安の悪化に伴い、上記方法では解錠不能な錠が使用されるようになり、増加傾向にある。
【０００３】
しかしこのように従来技術では開錠不能な錠が増えると、外出中に鍵を紛失等した場合の解錠が容易ではない。
【０００４】
本発明は錠の鍵穴内へ器具を差込むのではなく、扉には通常レンズ付きの覗き窓が設けられていることに着目して、その覗き窓器具装着のために扉に穿設された透孔から本発明器具を差込み、扉内面に取付けられている錠のサムターンを回し、解錠するものである。
【０００５】
【課題を解決するための手段】
第１の手段として、逆Ｌ字状に弯曲して、水平管部２と弯曲管部３と垂下管部４とが連続するガイド管５を有し、又水平管部２からガイド管回動用の操作ハンドル６を側外方へ突出させた主管部材１と、
上記ガイド管５内へ、長手方向中間部を可撓部１２とした芯棒状部１３を摺動可能に挿通させて両端部をガイド管両端外方へ突出させ、水平管側から突出する基部には芯棒状部引出しおよび押込み兼用把手１４を付設した操作部材１１とを有し、
垂下管部４下端から突出する芯棒状部部分の下部は拡開段部１５を介してガイド管５とほぼ同外径で、かつ摩擦係数を大とした係合棒部１６となし、
上記把手１４を介して芯棒状部１３をガイド管５に対して摺動させることで、垂下管部４下端から突出する芯棒状部分が伸縮自在に形成した。
【０００６】
第２の手段として、上記第１の手段を有すると共に、芯棒状部13を、ワイヤ17と該ワイヤの両側部外面へ嵌合し溶接させた第１、第２摺動管18、18とで形成し、
これ等第１、第２摺動管は、把手14操作により芯棒状部13がガイド管内を摺動する際、水平管部２内又は垂下管部４内だけを摺動し、かつこれ等両管部内に第１、第２摺動管一部が残って全体の抜出しは不能に形成した。
【０００７】
第３の手段として、上記第１又は第２の手段を有すると共に、上記係合棒部１６を下端面開口の雌ねじ筒に形成し、別に設けたサムターン回動用治具を着脱自在とした。
【０００８】
第４の手段として、上記第１、第２又は第３の手段を有すると共に、水平管部２内へ出入する芯棒状部１３部分外面へ、出入部分の長さ計測用目盛りを刻設した。
【０００９】
【発明の実施の形態】
以下図面について説明すると、本発明器具は主管部材と操作部材とを有する。
【００１０】
主管部材１は、逆Ｌ字状に弯曲して、水平管部２と弯曲管部３と垂下管部４とが連続するガイド管５を有し、又水平管部からはガイド管回動用の操作ハンドル６を側外方へ突出する。図示例において水平管部２および垂下管部３の長さは約２３ｃｍ程度としており弯曲管部３は、扉に穿設されている、レンズ付き覗き器具装着孔内へ挿入可能な曲率に形成している。尚この点については後述する。
【００１１】
操作部材１１は、上記ガイド管５内へ、長手方向中間部を可撓部１２とした芯棒状部１３を摺動可能に挿通させて、その両端部をガイド管両端から外方へ突出させ、水平管部２側から突出する基部には芯棒状部引出しおよび押込み兼用の把手１４を付設し、又垂下管部４下端から突出する部分の下部は拡開段部１５を介して、ガイド管５とほぼ同外径の係合棒部１６としている。該係合棒部はその外面へゴム管を嵌合させたり、或いはその外面へ滑止めを設ける等して摩擦係数を大とする。又その係合棒部は下端面開口の雌ねじ管に形成し、後述の解錠用部品取付管部とすることが望ましい。
【００１２】
上記把手を水平管部２基端面へ接するまで押込みしたとき、垂下管部４下端から垂下する芯棒状部部分１３ａ  の長さは約２０ｃｍ程度としている。従って把手１４引出しによって水平管部２から外方へ突出できる芯棒状部分１３ｂ  の長さも約２０ｃｍ程度であり、該部分には水平管部２内への出入部分の長さを計測するための目盛り１９を刻設している。図示例にあっては５ｃｍ毎に太い目盛りを、かつ１ｃｍ毎に細い目盛りを設けている。
【００１３】
上記芯棒状部１３は、ワイヤ１７と該ワイヤの両側部外面へ嵌合させ、かつ溶接させた第１、第２摺動管１８、１８とで形成するとよく、これ等両摺動管１８、１８は、把手操作により芯棒状部がガイド管５内を摺動する際、水平管部２内又は垂下管部４内だけを摺動するよう、つまり水平管部又は垂下管部内へ第１、又は第２摺動管を押込みしたとき、それ等両摺動管の他端部が弯曲管部３内へ入って抜出し不能とならないよう設けている。又水平管部又は垂下管部内からそれ等摺動管を引出しても、それ等摺動管の一部は水平管部ないし垂下管部内に残って、再押込みに支障が生じないよう設ける。
【００１４】
図２と図３とは、既述係合棒部１６への着脱が可能に設けた解錠用部品を示す。
【００１５】
２１はマッシュタイプの部品で、既述雌ねじ管内へ螺合させる雄ねじ２２下部を短棒部２３とし、かつ該短棒部下端に大径板部２４を付設している。又２５は鎌タイプの部品で、上記雌ねじ管内へ螺合させる雄ねじ２６下端を大径の多角形摘み部２７とし、かつ該摘み部の下面中心から弯曲棒部２８を突出させている。
【００１６】
上記構成の解錠器具は、次のようにして使用することが出来る。
【００１７】
通常扉には図４が示すようなレンズ付きの覗き器具３２が設けられている。該器具は大径部３３裏面から雄ねじ筒３４を後方突出するレンズ付き部材３５と、上記雄ねじ筒３４外面へ螺合させた雌ねじ筒部材３６とで形成されており、扉３１に穿設した透孔３７内へ、扉内方側から雌ねじ筒部材３６を回動不能に嵌合させた後、扉外方側から、レンズ付き部材の雄ねじ筒３４を上記雌ねじ筒部材３６内へ螺合させている。
【００１８】
上記大径部３３をペンチ等で回してレンズ付き部材３５を外した後、本発明器具の係合棒部１６を雌ねじ筒部材３６内へ入れ、そのまま押込みして垂下管部４および弯曲管部３を扉３１内方へ差し込む。該状態から、水平管部２を持ち、ハンドル６操作で係合棒部１６を図５が示すように錠４１のサムターン４２へ係合させ、把手１４引出しにより係合棒部１６を引込むことでサムターン４２を回し、該錠のデットボルト４３を錠４１内へ引戻せばよい。
【００１９】
尚サムターン４２の形状としては、図５が示す四角柱形状のほか、円柱状、平板状のもの等が知られており、係合棒部１６での解錠が行い難い場合は、その係合棒部１６先端に既述マッシュタイプ２１ないし鎌タイプ２５の部品を装着させて、解錠すればよい。４４はレバー、４５はラッチボルトである。
【００２０】
解錠後は扉内側への挿入部分を抜き出し、レンズ付き部材の雄ねじ筒３４を雌ねじ筒部材３６内へ螺合し、締付けしておく。
【００２１】
尚レンズ付き覗き窓を有しない扉もあるが、この場合は所有者の了解を得たうえで器具取付用孔を穿設し、既述操作による解錠後にその孔を利用し器具を装着してレンズ付き覗き窓を有する扉とすることが容易である。
【００２２】
【発明の効果】
本発明は既述構成とするものであり、扉が有するレンズ付き覗き窓の位置、又錠の取付け位置等はほぼ一定であるから、請求項１記載の器具使用によって容易に解錠出来る。又操作ハンドル６によって水平管部２を中心として垂下管部４を回動させることが出来、把手１４で、垂下管部４下端から突出する芯棒状部下方の摩擦係数を大とした係合棒部１６を、上下動させてサムターンに係合させることが出来、解錠が容易となる。
【００２３】
請求項２のようにすることで、長手方向中間部を可撓部とする芯棒状部１３の形成が容易となる。
【００２４】
請求項３記載のようにすることで、解錠を行い易くすることが出来る。
【００２５】
請求項４のようにすることで、垂下管部４下端から係合棒部１６までの距離を確実に知ることが出来、サムターンに係合棒部を係合させることが容易である。
【図面の簡単な説明】
【図１】本発明器具の側面図である。
【図２】本発明器具装着用の解錠部品の側面図である。
【図３】図２と異る解錠部品の側面図である。
【図４】錠付き扉が有するレンズ付き覗き窓部分の断面図である。
【図５】錠付き扉解錠操作の説明図である。
【符号の説明】
１  …主管部材                      ２  …水平管部
３  …弯曲管部                              ４  …垂下管部
５  …ガイド管                          ６  …操作ハンドル
１１  …操作部材                      １３  …芯棒状部
１６    …係合棒部                              １７  …ワイヤ
【図１】
0003586669.tif 000002
【図２】
0003586669.tif 000003
【図３】
0003586669.tif 000004
【図４】
0003586669.tif 000005
【図５】
0003586669.tif 000006